(57)【要約】  本発明は、本の頁の間に差し込んで使用することにより、現在まで読んでいた頁を表示するのみならず、現在まで読んでいた行数、さらには、必要に応じて文字位置までも明確に表示できる栞に関するものである。  具体的な構成として、栞本体と、この栞本体に設けられた表示部と、前記栞本体に形成され、本に当接し、前期栞本体を移動させ、前記表示部で頁の行数位置を表示可能とさせるコントロール部とを備えたものである。  かかる構成によって、きわめて簡単の構成で、かつ読者の操作作業もきわめて簡単な操作をすることにより、現在まで読んでいた頁を表示するのみならず、現在まで読んでいた行数、さらには、必要に応じて文字位置までも明確に表示できる栞を得ることにある。
2008123520.tif 000002
【特許請求の範囲】
【請求項１】
栞本体と、
この栞本体に設けられた表示部と、
前記栞本体に設けられ、前記栞本体を移動させ、前記表示部で頁の行数位置を表示可能とさせるコントロール部と、
を備えた栞。
【請求項２】
栞本体と、
この栞本体に設けられた表示部と、
前記栞本体に設けられ、本との当接該当部であって、前記栞本体を移動させ、前記表示部で頁の行数位置を表示可能とさせるコントロール部と、
を備えた栞。
【請求項３】
前記コントロール部は、本の綴じ代基部に当接し、その当接点を中心として、前記栞全体を回転移動させ、前記表示部で頁の行数位置を表示可能とさせることを特徴とする請求項２記載の栞。
【請求項４】
前記コントロール部は、横書きまたは縦書きの本に当接し、前記栞本体を移動させ、前記表示部で横書きまたは縦書きの本の頁の行数位置または文字位置を表示可能とさせることを特徴とする請求項２または請求項３記載の栞。
【請求項５】
栞本体と、
この栞本体に設けられた表示部と、
前記栞本体に設けられ、本に配置された当接部材に当接し、前記栞本体を移動させ、前記表示部で頁の行数位置を表示可能とさせるコントロール部と、
を備えた栞。
【請求項６】
前記栞本体は、頁の横手方向の長さに近似する長さに形成されていることを特徴とする請求項１から請求項５のうちのいずれか１項記載の栞。
【請求項７】
前記栞本体の全長は、綴じ代基部と最も遠い行との間、または、前記綴じ代基部と最も遠い文字列との間の長さ以下に形成されている特徴とする請求項１から請求項６のうちのいずれか１項記載の栞。
【請求項８】
前記栞本体は、変型可能な材料で形成されている特徴とする請求項１から請求項７のうちのいずれか１項記載の栞。
【発明の詳細な説明】
【技術分野】
【０００１】
この発明は、本の頁の間に差し込んで使用することにより、現在まで読んでいた頁を表示するのみならず、現在まで読んでいた行数、さらには、必要に応じて文字位置までも明確に表示できる栞に関するものである。
【背景技術】
【０００２】
従来から本の頁の間に差し込んで使用することにより、現在まで読んでいた頁を表示する栞は多数存在する。たとえば、特許文献１に開示されているゼムリップ状の「自動栞」や、特許文献２に開示されている複数の部品からなるクリップ状の「自動しおり」等が存在する。しかし、いずれも、現在まで読んでいた頁を表示するに過ぎず、現在まで読んでいた行数、字数位置までも表示するというものではなかった。
そこで、現在まで読んでいた行数を表示しようとする栞として、たとえば、特許文献３に開示されている栞シート１にガイド溝２またはガイド帯３を形成し、このガイド溝２またはガイド帯３に沿って移動できるスライダー３の指標として行数を表示しようとする「読書用栞」や特許文献４に開示されている栞シート１に読みかけ位置表示用の指標を設けた「読書用栞」が存在する。【０００３】
【特許文献１】特開２０００−２３８４６４号公報
【特許文献２】特開２００３−２６６９７１号公報
【特許文献３】実開昭５５−１６９４５４号公報
【特許文献４】実開昭５８−７２０７３号公報
【発明の開示】
【０００４】
しかし、現在まで読んでいた行数を表示しようとする栞は、いずれも多くの部品を必要とし、構造が複雑なものにならざるを得ないという問題点があった。
また、その使用に際して、読者に所定の操作をしてもらわなければならず、結局、読者に対して面倒くさい所定の操作作業を強要せざるを得ないという問題点があった。
【０００５】
この発明は、上記のような課題を解決するためになされたもので、きわめて簡単の構成で、かつ読者の操作作業もきわめて簡単な操作をすることにより、現在まで読んでいた頁を表示するのみならず、現在まで読んでいた行数、さらには、必要に応じて文字位置までも明確に表示できる栞を提供することを目的とする。
【０００６】
上記課題を解決するために、本発明に係わる栞は、栞本体と、この栞本体に設けられた表示部と、前記栞本体に設けられ、前記栞本体を移動させ、前記表示部で頁の行数位置を表示可能とさせるコントロール部とを備えたものである。
【０００７】
本発明の請求項２に係わる栞は、栞本体と、この栞本体に設けられた表示部と、前記栞本体に設けられ、本との当接該当部であって、前記栞本体を移動させ、前記表示部で頁の行数位置を表示可能とさせるコントロール部とを備えたものである。
【０００８】
本発明の請求項３に係わる栞のコントロール部は、本の綴じ代基部に当接し、その当接点を中心として、栞全体を回転移動させ、表示部で頁の行数位置を表示可能としたものである。
【０００９】
本発明の請求項４に係わる栞のコントロール部は、横書きまたは縦書きの本に当接し、栞本体を移動させ、表示部で横書きまたは縦書きの本の頁の行数位置または文字位置を表示可能としたものである。
【００１０】
本発明の請求項５に係わる栞は、栞本体と、この栞本体に設けられた表示部と、前記栞本体に設けられ、本に配置された当接部材に当接し、前記栞本体を移動させ、前記表示部で頁の行数位置を表示可能とさせるコントロール部とを備えたものである。
【００１１】
本発明の請求項６に係わる栞の本体は、頁の横手方向の長さに近似する長さに形成されているものである。
【００１２】
本発明の請求項７に係わる栞本体の全長は、綴じ代基部と最も遠い行との間、または、前記綴じ代基部と最も遠い文字列との間の長さ以下に形成されているものである。
【００１３】
本発明の請求項８に係わる栞の本体は、変型可能な材料で形成されているものである。
【００１４】
この発明に係る栞は、本の頁間に差し込んで使用することにより、現在まで読んでいた頁を表示するのみならず、現在まで読んでいた行数、さらには、必要に応じて文字位置までも明確に表示できるという効果が得られる。
【図面の簡単な説明】
【００１５】
【図１】図１は本発明の実施の形態１にかかる栞の斜視図である。
【図２】図２は本発明の実施の形態１にかかる栞が、縦書きの本に適用された場合の使用状態説明図である。
【図３】図３は本発明の実施の形態１にかかる栞が、横書きの本に適用された場合の使用状態説明図である。
【図４】図４は本発明の実施の形態２にかかる栞の斜視図である。
【図５】図５は本発明の実施の形態２にかかる栞の斜視図である。
【図６】図６は本発明の実施の形態３にかかる栞の使用説明図である。
【図７】図７は本発明の実施の形態４にかかる栞の使用説明図である。
【図８】図８は本発明の実施の形態５にかかる栞の使用説明図である。
【図９】図９は実施の形態６にかかる栞の変形例の斜視図である。
【図１０】図１０は実施の形態６にかかる栞の使用説明図である。
【図１１】図１１は本発明の実施の形態７にかかる栞の変形例の斜視図である。
【図１２】図１２は本発明の実施の形態７にかかる栞の変形例の斜視図である。
【図１３】図１３は本発明の実施の形態７にかかる栞の変形例の斜視図である。
【図１４】図１４は本発明の実施の形態８に係わる栞の変形例の斜視図である。
【発明を実施するための最良の形態】
【００１６】
実施の形態１．
図１は本発明の実施の形態１に係わる栞の斜視図である。また、図２は本発明の実施の形態１に係わる栞が、縦書きの本に適用された場合の使用状態説明図であり、図３は本発明の実施の形態１に係わる栞が、横書きの本に適用された場合の使用状態説明図である。【００１７】
実施の形態１に係わる栞の栞本体１は、図１に示すように、本２の頁３の横方向の長さａとほぼ同等な長さに形成されている。この栞本体１の一端部近傍には、本２の行数や文字位置を表示するためのマーク１Ａが形成されている。他方、この栞本体１の他端部には、本２の綴じ代基部２Ａと当接し、その当接点を中心として、栞本体１を回転移動させ、表示したい行数や文字位置に上記マーク（表示部）１Ａを回転表示移動させるためのコントロール部１Ｂが形成されている。すなわち、このコントロール部１Ｂは、本２との当接該当部であって、本２と当接することにより、栞本体１を移動させ、マーク１Ａで頁３の行数位置や文字位置を表示可能とさせる機能を有する。
ここで、コントロール部１Ｂとの上記当接点を中心として、栞本体１を回転移動させる際、この綴じ代基部２Ａは、コントロール部１Ｂに対して、壁のような機能を果たし、上記当接点を中心として栞本体１を確実かつスムーズに回転移動させることができる。【００１８】
（栞本体１の長手方向の長さ）
図１に示す栞本体１では、その長手方向の長さを頁３の横方向の長さａとほぼ同等な長さに形成した。しかし、栞本体１の長手方向の長さは、この長さａに限定されることはなく、現在まで読んでいた行数、必要に応じて文字位置までも明確に表示できるものであれば、如何なる長さであってもよい。
たとえば、栞を縦書きの本に適用し、行数、必要に応じて文字位置までも表示しようとする場合には、図１に示すように、少なくとも、綴じ代基部２Ａから最も遠い行２Ｂまでの長さを必要とする。【００１９】
一方、栞を横書きの本に適用し、行数、必要に応じて文字位置までも表示しようとする場合には、同じく、綴じ代基部２Ａから最も遠い文字位置（文字列）２Ｃまでの長さを必要とする。
しかし、単に、行数のみを表示しようとする場合には、栞本体１は、もっと短くても明確に表示できる。つまり、栞本体の全長は、綴じ代基部２Ａと最も遠い行２Ｂとの間、または、前記綴じ代基部２Ａと最も遠い文字位置（文字列）２Ｃとの間の長さ以下であっても、行数および文字位置までを明確に表示できる。
したがって、栞本体１の長手方向の長さは、その使用対象（縦書きの本か？  横書きの本か？）、表示しようとするものが、行数のみなのか？  行数および文字位置までを対象とするのか？という使用目的、使用状況によって、適宜、選択変更することができる。【００２０】
（栞本体１の形成材料）
次に、栞本体１の形成材料は、プラスティック、紙、金属、布、セラミック等、栞として機能できる材料であれば、如何なるものでもかまわない。その中でも好ましいものとしては、たとえば、文字を栞本体１を透して読めることのできる透明性の材料や、本２が曲折したり、変形しても、それらの変形に追随して、自在に変形可能なフレキシブルな材料や、より明確に本２の行数や文字位置を表示するために、色付きの材料や、また、見開きの２ページを区別して表示可能に裏表を別々の色（たとえば、表を青、裏を黄色）の材料としてもよい。
また、栞本体１の厚さも表示したい行数や文字位置を表示できるものであれば、如何なる厚さであってもよい。【００２１】
（栞本体１のマーク１Ａ）
上記マーク１Ａの形状に関して、図１に示す栞本体１では、円形状のポイントを採用したが、表示したい行数や文字位置を表示できるものであれば、線、凹凸、矢印、栞自体の特徴形状の部分（たとえば、動物の尻尾部、突起部等）、その他の如何なるマークであってもよい。たとえば、図１および図２では、栞本体１の図示の黒点部のみならず、その先端部がマーク１Ａとして機能する。さらには、使用状況によって、栞本体１の適切な部分がコントロール部１Ｂとなったり、マーク１Ａとなったり適宜変化する場合もある。
また、栞本体１とは別部品であって、栞本体１に固定または着脱自在として、栞本体１に設けられたマーク（表示部）としてもよく、その場合においても、同様に、適切な部分がコントロール部１Ｂとなったり、マーク１Ａとなったり適宜変化する場合もある。【００２２】
（栞本体１のコントロール部１Ｂの形状等）
図１に示す栞本体１では、コントロール部１Ｂの形状を半円形状のものを採用した。しかし、このコントロール部１Ｂの形状は、円形状のものに限定されることはなく、本２の綴じ代基部２Ａに当接して、このコントロール部１Ｂの側面と綴じ代基部２Ａとの当接点を中心として、栞本体１を回転移動させ、表示したい行数や文字位置に上記マーク１Ａを回転表示移動できるものであれば、如何なる形状であってもよい。
また、栞本体１とは別部品であって、栞本体１に固定または着脱自在として、栞本体１に設けられたコントロール部１Ｂとして、マーク（表示部）１Ａで頁の行数位置等を表示させてもよい。【００２３】
また、コントロール部１Ｂは、綴じ代基部２Ａとの当接点を中心として、栞本体１を回転移動させ、表示したい行数や文字位置に上記マーク１Ａを回転表示移動するようにしたが、その他、栞本体１を回転移動させ、表示したい行数や文字位置に上記マーク１Ａを回転表示移動できれば、綴じ代基部２Ａ以外の部分と当接させてもよい。【００２４】
次に、この発明に係わる栞の使用動作について説明する。
まず、この栞を縦書きの本に適用し、行数、必要に応じて文字位置までも表示しようとする場合には、図１に示すように、栞本体１のコントロール部１Ｂを綴じ代基部２Ａに当接させ、その当接点を中心として、栞本体１を回転移動させ、表示したい行数や文字位置に上記マーク１Ａを回転表示移動させる。【００２５】
ここで、縦書きの本の場合、綴じ代基部２Ａと各行は平行位置にあるので、綴じ代基部２Ａからある任意の行までの距離は、必ず一定となる。そこで、栞本体１のコントロール部１Ｂを綴じ代基部２Ａに当接させる位置は、綴じ代基部２Ａのどこでもかまわないので、その目的である行数や文字位置の表示操作はきわめて簡単である。
この際、コントロール部１Ｂの形状は、半円形状なので、栞本体１の回転表示移動は、きわめてスムーズに行える。【００２６】
次に、この栞を横書きの本に適用する場合には、図２に示すように、同様に、栞本体１のコントロール部１Ｂを綴じ代基部２Ａに当接させ、その当接点を中心として、栞本体１を回転移動させて、表示したい行数や文字位置にマーク１Ａを回転表示移動させる。
この際、横書きの本の場合、綴じ代基部２Ａと各行は平行位置にはないので、マーク１Ａにより行数や文字位置を表示させたい場合、栞本体１を綴じ代基部２Ａに沿って移動させて表示するか、または、栞本体１を綴じ代基部２Ａに沿って移動させ、かつコントロール部１Ｂと綴じ代基部２Ａの当接点を中心として、栞本体１を回転移動させ、行数や文字位置に上記マーク１Ａを回転移動させて表示を行う。【００２７】
実施の形態２．
図４および図５は本発明の実施の形態２に係わる栞の斜視図である。
上記実施の形態１に示した栞においても、栞本体１を本２の頁３の間に差し込んで使用した場合、ずれなどを生じることは、通常考えられないが、この実施の形態２に係わる栞本体１は、栞本体１の一部にずれ防止部１Ｃを設けたものである。このずれ防止部１Ｃは、摩擦係数の大きな部分を栞本体１の一部に設けてもよいし、栞本体１全体を摩擦係数の大きな材料で形成してもよい。【００２８】
実施の形態３．
図６は本発明の実施の形態３に係わる栞の使用説明図である。
この実施の形態３に係わる栞本体１の形状は、頁３の横方向の長さａとほぼ同等な長さの直径を有する円形状に形成されている。したがって、栞本体１の円周部分が、コントロール部１Ｂの機能を果たし、図６に示すように、栞本体１のコントロール部１Ｂを綴じ代基部２Ａに当接させ、栞本体１を回転移動させ、表示したい行数や文字位置に上記マーク１Ａを回転表示移動させる。【００２９】
したがって、栞本体１のコントロール部１Ｂを綴じ代基部２Ａに当接させる位置は、綴じ代基部２Ａのどこでもかまわないので、その目的である行数や文字位置の表示操作はきわめて簡単である。また、コントロール部１Ｂの形状は、円周形状なので、栞本体１の回転表示移動は、きわめてスムーズに行える。
さらに、この実施の形態３に係わる栞本体１は、縦書きの本および横書きの本のいずれの本にも適用する場合できる。【００３０】
実施の形態４． 
図７は本発明の実施の形態４に係わる栞の使用説明図である。
この実施の形態４に係わる栞本体１の形状は、長手方向の長さが、頁３の横方向の長さａとほぼ同等な長さを有するハート型形状に形成されている。したがって、栞本体１のハート型形状の栞本体１の円周部分が、コントロール部１Ｂの機能を果たす。【００３１】
そこで、図７の矢印で示すように、栞本体１のコントロール部１Ｂを綴じ代基部２Ａに当接させた状態で、栞本体１を回転移動または綴じ代基部２Ａにそって上下移動させることによって、表示したい行数や文字位置に上記マーク１Ａを回転表示移動できる。
したがって、その目的である行数や文字位置の表示操作はきわめて簡単である。また、コントロール部１Ｂの形状は、円周形状なので、栞本体１の回転表示移動は、きわめてスムーズに行える。
さらに、この実施の形態４に係わる栞は、縦書きの本および横書きの本のいずれの本にも適用する場合できる。【００３２】
実施の形態５．
図８は本発明の実施の形態５に係わる栞の使用説明図である。
この実施の形態５に係わる栞本体１の形状は、円形状に形成されている。したがって、栞本体１の円周部分が、コントロール部１Ｂの機能を果たす。この栞本体１は、小径なので、横書きの本の行数の表示を目的とする。【００３３】
図８の矢印で示すように、栞本体１のコントロール部１Ｂを綴じ代基部２Ａに当接させた状態で、栞本体１を綴じ代基部２Ａにそって上下移動または回転移動させることによって、表示したい行数位置に上記マーク１Ａを回転表示移動できる。その行表示操作はきわめて簡単で、しかも、コントロール部１Ｂの形状は、円周形状なので、栞本体１の回転表示移動は、きわめてスムーズに行える。【００３４】
実施の形態６．
図９は本発明の実施の形態６に係わる栞の変形例の斜視図である。
実験の結果、栞本体１の回転表示移動は、コントロール部１Ｂの形状が、円形や楕円形などの曲線形状がスムーズに行えるが、それ以外の形状、たとえば、折曲形状、鋭角形状、角型形状等、綴じ代基部２Ａに当接できれば、栞本体１をスムーズに回転移動できることが判明した。【００３５】
図９はその変型例の一部を示したものであり、その使用状況によって、適切な部分がコントロール部１Ｂとなる。
また、実施の形態６にかかる栞本体１の長手方向の長さは、上述のように、その使用対象（縦書きの本か？  横書きの本か？）、表示しようとするものが、行数のみなのか？  行数および文字位置までを対象とするのか？という使用目的、使用状況によって、適宜、選択変更することができる。【００３６】
実施の形態６にかかる栞本体１の横手方向の長さも、その使用対象（縦書きの本か？  横書きの本か？）、表示しようとするものが、行数のみなのか？  行数および文字位置までを対象とするのか？という使用目的、使用状況によって、適宜、選択変更することができる。【００３７】
ここで、好ましい一形態として、たとえば、図６に示すように、綴じ代基部２Ａと最初の行２Ｄまたは、図７および図８に示すように、綴じ代基部２Ａと最初の文字位置（文字列）２Ｅとの間の長さＸとした場合、栞本体１の横手方向の長さをＸ以下に形成した場合、図１０に示すように、読書時に栞本体１を綴じ代基部２Ａと接した状態でかつ綴じ代基部２Ａと平行に置くことにより、栞本体１が文字を跨ぐことがないので、読書の邪魔になることがない。【００３８】
実施の形態７．
図１１から図１３は本発明の実施の形態７に係わる栞の変形例の斜視図である。
この実施の形態７にかかる栞本体１は、動物の形状をシンボル化したものであり、その使用状況によって、適切な部分がコントロール部１Ｂとなったり、栞本体１自体の特徴形状の部分（たとえば動物の尻尾部分、鼻部分、足部分、ヒレ部分等）等がマーク１Ａとなったりする。【００３９】
また、実施の形態７に係わる栞本体１の長手方向の長さおよび横手方向の長さは、上述のように、その使用対象（縦書きの本か？  横書きの本か？）、表示しようとするものが、行数のみなのか？  行数および文字位置までを対象とするのか？という使用目的、使用状況によって、適宜、選択変更することができる。【００４０】
実施の形態８．
図１４は本発明の実施の形態８に係わる栞の変形例の斜視図である。
この実施の形態７に係わる栞本体１は、頁３の形状に沿ってはじめから曲線変形形状に形成され、たとえば、分厚い本の場合等、頁枚数多いために曲線形状に変形したものであっても、栞本体１が頁３の表面に馴染み、浮き上がることがなく、より確実に行数、必要に応じて文字位置までも明確に表示できる。
また、栞本体１を変型自在な材料で形成して、フレキシブルに変型可能としてもよい。
かかる変形した栞本体１によって、同様に栞本体１が頁３の表面に馴染み、浮き上がることがなく、より確実に行数、必要に応じて文字位置までも明確に表示できるという効果が得られる。【００４１】
実施の形態９．
以上の実施の形態では、コントロール部１Ｂは、本２に当接し、その当接点を中心として、栞本体１を回転移動させ、表示したい行数や文字位置に上記マーク１Ａを回転表示移動させる構造としている。【００４２】
これに対して、本発明の実施の形態９に係わる栞は、綴じ代基部２Ａに沿ってまたは近傍に、コントロール部１Ｂに当接し、その当接点を中心として、栞本体１を回転移動させるコントロール部当接部材（当接部材）（たとえば、板状、線状、曲線状、棒状、その他の形状等のプラスティック、紙、金属、布、セラミック等で形成されたもの（図示せず））を本２に差し込んだり、取り付けたりして配置された構造とした。この構造によって、上記実施の形態１と同様に、コントロール部１Ｂは、コントロール部当接部材（当接部材）（図示せず）との当接点を中心として、栞本体１を回転移動させ、表示したい行数や文字位置に上記マーク１Ａを回転表示移動できるという効果が得られる。【００４３】
この実施の形態９に係わる栞では、本２とは別部品のコントロール部当接部材を本２に装着してコントロール部１Ｂの当接部分としたが、これに限定されることはなく、本２のケースカバー（図示せず）の一部であったり、その他の専用部品であったり、その他、栞本体１を回転移動させ、表示したい行数や文字位置に上記マーク１Ａを回転表示移動できれば、如何なる手段であってもよい。【００４４】
さらに、栞とコントロール部当接部材や、栞と本２のケースカバー（図示せず）や、栞とその他の専用部品とを一体的に形成してもよい。    
【産業上の利用可能性】
【００４５】
本発明は、本の頁の間に差し込んで使用することにより、現在まで読んでいた頁を表示するのみならず、現在まで読んでいた行数、さらには、必要に応じて文字位置までも明確に表示できる栞に関するものである。
【図１】
2008123520.tif 000003
【図２】
2008123520.tif 000004
【図３】
2008123520.tif 000005
【図４】
2008123520.tif 000006
【図５】
2008123520.tif 000007
【図６】
2008123520.tif 000008
【図７】
2008123520.tif 000009
【図８】
2008123520.tif 000010
【図９】
2008123520.tif 000011
【図１０】
2008123520.tif 000012
【図１１】
2008123520.tif 000013
【図１２】
2008123520.tif 000014
【図１３】
2008123520.tif 000015
【図１４】
2008123520.tif 000016
【国際調査報告】
2008123520.tif 000017
2008123520.tif 000018